(57)【要約】【課題】より消費電力を低減できる撮像装置を提供することを目的とする。【解決手段】自装置に電力を供給する電源と、自装置が使用者により撮影姿勢で保持されているかを判定し、撮影姿勢で保持されていない状態が継続している時間を測定する測定手段と、測定手段により測定された時間が所定時間以上になると、自装置のうちの一部への電力の供給を停止するよう電源を制御する制御手段と、を備える。【選択図】図１
2011128347.tif 000002
【特許請求の範囲】
【請求項１】
自装置に電力を供給する電源と、
自装置が使用者により撮影姿勢で保持されているかを判定し、撮影姿勢で保持されていない状態が継続している時間を測定する測定手段と、
前記測定手段により測定された時間が所定時間以上になると、自装置のうちの一部への電力の供給を停止するよう前記電源を制御する制御手段と、を備える、
撮像装置。
【請求項２】
前記制御手段は、
前記電源による前記自装置のうちの一部への電力の供給が停止されている状態で、前記測定手段が自装置が使用者により撮影姿勢で保持されていると判断すると、前記時装置のうちの一部への電力の供給を再開する、
請求項１に記載の撮像装置。
【発明の詳細な説明】
【技術分野】
【０００１】
本発明は撮像装置に関し、特に、パワーセーブモードに対応できる撮像装置に関する。
【背景技術】
【０００２】
特許文献１は、カメラを開示する。このカメラは、使用者から一定時間以上操作を受け付けず、かつ、カメラ自体のブレが一定以下である場合に、パワーセーブモードに移行する。これにより、このカメラは、消費電力を低減できる。
【先行技術文献】
【特許文献】
【０００３】
【特許文献１】特開２００３−１４０２４１号公報
【発明の概要】
【発明が解決しようとする課題】
【０００４】
しかしながら、上記特許文献１が開示するカメラは、使用者が撮影意志を有していない場合であっても、使用者からの操作がなくなってから一定時間が経過するまではパワーセーブモードに移行しない。従って、この場合には、消費電力の無駄が生じている。
【０００５】
本発明は、より消費電力を低減できる撮像装置を提供することを目的とする。
【課題を解決するための手段】
【０００６】
上記課題を解決するために、本発明にかかる撮像装置は、自装置に電力を供給する電源と、自装置が使用者により撮影姿勢で保持されているかを判定し、撮影姿勢で保持されていない状態が継続している時間を測定する測定手段と、測定手段により測定された時間が所定時間以上になると、自装置のうちの一部への電力の供給を停止するよう電源を制御する制御手段と、を備える。
【発明の効果】
【０００７】
本発明によれば、より消費電力を低減できる撮像装置を提供できる。
【図面の簡単な説明】
【０００８】
【図１】デジタルビデオカメラ１００の構成を示すブロック図
【図２】撮影時の動作を説明するためのフローチャート
【発明を実施するための形態】
【０００９】
〔１．実施の形態１〕
本発明をデジタルビデオカメラに適用した実施の形態１について図を用いて説明する。
【００１０】
〔１−１．構成〕
〔１−１−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。以下、デジタルビデオカメラ１００の構成を詳細に説明する。
【００１１】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１２】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１３】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１４】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１５】
ＣＣＤイメージセンサー１８０は、ズームレンズ１１０等からなる光学系で形成された被写体像を撮像して、映像データを生成する。ＣＣＤイメージセンサー１８０は、露光、転送、電子シャッタなどの各種動作を行う。
【００１６】
画像処理部１９０は、ＣＣＤイメージセンサー１８０で生成された映像データに対して各種の処理を施す。画像処理部１９０は、ＣＣＤイメージセンサー１８０で生成された映像データに対して処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。画像処理部１９０は、ＤＳＰやマイコンなどで実現可能である。
【００１７】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００１８】
メモリ２００は、画像処理部１９０及びコントローラー２１０のワークメモリとして機能する。メモリ２００は、例えば、ＤＲＡＭ、強誘電体メモリなどで実現できる。
【００１９】
液晶モニタ２７０は、ＣＣＤイメージセンサー１８０で生成した映像データが示す画像や、メモリカード２４０から読み出した映像データが示す画像を表示可能である。
【００２０】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２１】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２２】
内部メモリ２８０は、フラッシュメモリや強誘電低メモリなどで構成される。内部メモリ２８０は、デジタルビデオカメラ１００全体を制御するための制御プログラム等を格納する。
【００２３】
操作部材２５０は、使用者から画像の撮像指示を受け付ける部材である。ズームレバー２６０は、使用者からズーム倍率の変更指示を受け付ける部材である。
【００２４】
バッテリー２９０は、デジタルビデオカメラ１００に電力を供給するための充電池である。例えば、デジタルビデオカメラ１００においては、リチウムイオン電池で構成される。なお、バッテリー２９０は、必ずしもリチウムイオン電池で構成される必要はなく、ニッケル水素電池やニッカド電池等で構成されていてもよい。要するにバッテリー２９０は充電池であればよい。
【００２５】
〔１−１−２．本発明との対応〕
バッテリー２９０は、本発明の電源の一例である。コントローラー２１０は、本発明の測定手段の一例である。コントローラー２１０は、本発明の制御手段の一例である。
【００２６】
〔１−２．撮影モード〕
本実施の形態にかかるデジタルビデオカメラ１００の撮影時の動作について図２を用いて説明する。図２は、撮影時の動作を説明するためのフローチャートである。
【００２７】
使用者は、操作部材２５０のうちのモードダイヤルを操作することにより、デジタルビデオカメラ１００を撮影モードに設定できる（Ｓ１００）。撮影モードに設定されると、コントローラー２１０は使用者からの記録指示があるかどうかを判断する（Ｓ１１０）。
【００２８】
使用者により記録指示がされたと判断すると、コントローラー２１０は、画像処理部１９０で生成された映像データのメモリカード２４０への記録を開始する（Ｓ１２０）。一方、使用者により記録指示がされていないと判断すると、コントローラー２１０は、パワーセーブモード移行までの時間をカウントするタイマーをリセットする（Ｓ１３０）。
【００２９】
その後、コントローラー２１０は、デジタルビデオカメラ１００が使用者によって撮影姿勢で保持されているかを判断する（Ｓ１４０）。具体的には、コントローラー２１０は、ジャイロセンサー２２０の出力を確認することにより、デジタルビデオカメラ１００のぶれの状態を検知できる。また、コントローラー２１０は検出器１６０の出力を確認することにより、デジタルビデオカメラ１００の傾きの状態を検出できる。コントローラー２１０は、デジタルビデオカメラ１００のブレの状態が所定値以下であり、さらに、デジタルビデオカメラ１００が略水平状態で保持されていると検出したときに、デジタルビデオカメラ１００が撮影姿勢で保持されていると判断する。
【００３０】
デジタルビデオカメラ１００が撮影姿勢で保持されていると判断すると、再度ステップ１１０の判断を行う。一方、デジタルビデオカメラ１００が撮影姿勢で保持されていないと判断すると、コントローラー２１０は使用者からの記録指示があるかどうかを判断する（Ｓ１５０）。
【００３１】
使用者により記録指示がされたと判断すると、コントローラー２１０は、画像処理部１９０で生成された映像データのメモリカード２４０への記録を開始する（Ｓ１２０）。一方、使用者により記録指示がされていないと判断すると、コントローラー２１０はパワーセーブモード移行までの時間をカウントするタイマーの経過時間を測定する（Ｓ１６０）．ここで、パワーセーブモードとは、コントローラー２１０と、検出器１６０と、ジャイロセンサー２２０とを除いた部分の電源をＯＦＦしている状態である。
【００３２】
コントローラー２１０はパワーセーブモード移行までの時間をカウントするタイマーが所定時間経過したかどうかを判断する（Ｓ１７０）。本実施の形態においては、３秒を所定時間とする。経過時間が所定の時間経過していない場合、再度ステップＳ１４０の判断を行う。一方、経過時間が所定の時間経過していた場合は、コントローラー２１０は、デジタルビデオカメラ１００をパワーセーブモードに移行する（Ｓ１８０）．上述した通り、この時、コントローラー２１０、ジャイロセンサー２２０、検出器１６０はパワーセーブを行わない。従って、コントローラー２１０はデジタルビデオカメラ１００が撮影姿勢で保持されているかどうかの判断を行い続ける。コントローラー２１０はデジタルビデオカメラ１００が撮影姿勢で保持されたと判断したとき、又は使用者によるパワーセーブ解除の操作が行われたとき、デジタルビデオカメラ１００のパワーセーブモードを解除し撮影モード１００に戻る。
【００３３】
このように、本実施にかかるデジタルビデオカメラ１００は、使用者により撮影姿勢で保持されていない状態で３秒という比較的短い時間が経過すると、パワーセーブモードに移行することとした。これにより、電力消費を効率的に抑えることができる。
【００３４】
また、本実施にかかるデジタルビデオカメラ１００は、使用者により撮影姿勢で保持されている場合には、使用者に撮影の意思があると判断してパワーセーブモードに入らない。
これにより、撮影姿勢にある場合には、使用者は、いつでも即座に撮影を開始できる。
【００３５】
また、パワーセーブモードに入っている場合でも使用者がデジタルビデオカメラ１００を撮影姿勢で保持することで、使用者に撮影の意思があると判断してパワーセーブモードを解除する。これにより、撮影姿勢にある場合には、使用者は、いつでも即座に撮影を開始できる。
【００３６】
このように、デジタルビデオカメラ１００によれば、使用者が撮影したいときにはパワーセーブモードを解除しつつ撮影の意思がないときにはパワーセーブモードに移行することにより使い勝手と、省電力とを両立できる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００３７】
本実施の形態にかかるデジタルカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００３８】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００３９】
また、実施の形態１では、使用者が撮影姿勢をとっているかどうかの判断を検出器１６０、ジャイロセンサー２２０の情報を基に判断しているが、本発明はこれらに限定されない。
例えば、使用者が撮影姿勢にあるかどうかの判断に撮影している画像の明るさや、グリップ部にビデオカメラ１００が使用者の手でもたれているかどうかを検出するスイッチを設けて、使用者が撮影姿勢をとっているかどうかを判断する構成としてもよい。
【００４０】
また、実施の形態１では、撮影姿勢で保持されていないと判断してから３秒が経過した際に、パワーセーブモードに移行することとした。しかしながら、必ずしもこのような構成である必要はない。例えば、２秒であっても、５秒であっても、１分であってもよい。要するに、使用者から操作を受け付けない時間が「所定時間」継続した際に、自動的にパワーセーブモードに移行する場合の「所定時間」よりも短い時間であればよい。
【産業上の利用可能性】
【００４１】
本発明は、デジタルビデオカメラやデジタルスチルカメラ等に適用できる。
【符号の説明】
【００４２】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011128347.tif 000003
【図２】
2011128347.tif 000004